(57)【要約】【課題】インクジェットヘッドのノズルに付着したインク及び異物を除去し、かつ、インクジェットヘッドの側面にもインクの増粘物を堆積させない、ブレードとインクジェットヘッドを有する高画質を得るインクジェット記録装置を提供する。【解決手段】ブレードに撥水部と親水部を設け、ヘッドのノズルカバーの対向面、側面を撥水部を設けた。【選択図】        図１
2004168002.tif 000002
【特許請求の範囲】
【請求項１】
インクジェットヘッドのノズルよりインクを吐出して記録媒体に印字を行うインクジェット記録装置で、
前記ノズルに摺接し、前記ノズルに付着したインク及び異物を除去するためのブレードを有し、
前記ブレードは、前記ノズルと当接する周辺部分は撥水性を備え、前記ノズルと当接しない部分はインクを吸収する親水性を備え、
前記ブレードがノズルに当接する面側の親水性を備える部分は、前記インクジェットヘッドのノズル面に対し、概垂直方向に一体で形成された凹凸形状であり、
前記凹凸形状の隅部はＲ０．２ｍｍ以下であり、
前記ノズルから前記親水部までの距離Ｌ１と、前記ブレードのノズルに対する侵入量Ｌ２はＬ１＞Ｌ２＞２ｍｍであることを特徴とするインクジェット記録装置。
【請求項２】
前記ブレードがノズルに当接する面側の親水性を備える部分には、吸収性を備える部材を有することを特徴とする請求項１に記載のインクジェット記録装置。
【請求項３】
前記インクジェットヘッドの前記ノズルを形成したノズル形成部材の周辺部と側面を覆うノズルカバーを有し、
前記ノズル形成部材の周辺部と側面を覆うノズルカバーの記録媒体との対向面と側面に撥水性を備えることを特徴とする請求項１〜２に記載のインクジェット記録装置。
【請求項４】
前記インクジェットヘッドの前記ノズルを形成したノズル形成部材の周辺部と側面を覆うノズルカバーを有し、
前記ノズル形成部材の周辺部と側面を覆うノズルカバーの記録媒体との対向面と前記ブレードの進行方向にある２つの側面に撥水性を備えることを特徴とする請求項１〜４に記載のインクジェット記録装置。
【発明の詳細な説明】
【０００１】
【発明の属する技術分野】
本発明は、インクジェットヘッドのノズルに付着したインク及び異物を除去するためのブレードを有し、記録媒体上に高品位の画像を得ることができるインクジェット記録装置に関するものである。
【０００２】
【従来の技術】
従来、インクジェット記録方式は、低騒音、低ランニングコスト、装置が小型化しやすい、カラー化が容易、等からプリンターや複写機等に利用されている。
【０００３】
インク滴をノズルから被記録材へ印字するインクジェット記録装置においては、ノズルに負圧を発生させてインクを吸収することにより、ごみの混入やインクの乾燥による詰まりなど問題の生じたインクをノズルから排出したり、インクタンクのインクをノズルまで充填するために、吸引回復手段を有する。
【０００４】
吸引回復手段は、インクジェットヘッドに対するキャッピング手段とノズルに負圧を発生させる負圧発生手段とブレードによりノズル周辺をワイピングするワイピング手段を有する。
【０００５】
ブレードは、インクジェットヘッドのノズルに付着したインク及び異物を除去するためのものである。
【０００６】
ブレードが弾性力を有する部材と吸収性を有する部材とが一体的に接合された部材で構成され、ブレードの第１ワイピング進行方向に弾性力を有する部材を、第２ワイピング進行方向に吸水性を有する部材を配置したインクジェット記録装置が、特開平６−７１９０４号公報に開示されている。
【０００７】
上記の構成によれば、弾性力を有するブレードのみの第１ワイピングの後に、吸水力を有するブレードによる第２ワイピングが行われるため、第１ワイピングで除去しきれなかったインクを第２ワイピングによって吸収除去し、ノズル面のインクを確実に除去することができる。
【０００８】
また、インクを吸収する部材とインクを吸収しない弾性部材とで、インクジェットヘッドのノズルを摺接するブレードの構成は、特開平１０−２７２７８１号公報に開示されている。
【０００９】
上記の構成によれば、ブレードの進行方向前方にインクを吸収する部材、後方にインクを吸収しない弾性部材が配置されており、ブレードはその進行方向と反対側にたわむため、インクジェットヘッドのノズルを摺接するのはインクを吸収する部材の先端部である。
【００１０】
また、ブレードが撥水性を備えた板状部材であることが、特開平５−１９３１５１号公報に開示されている。
【００１１】
また、ブレードとブレードの摺接部近傍まで延在したガイド部材との間にインクを導く構成が特開平８−００１９５５号公報に開示されている。
【００１２】
インクジェットヘッドのノズル形成部材の周縁部とヘッドの側面を覆うノズルカバーを有し、このノズルカバーの記録媒体との対向面に撥水処理を施し、ノズルカバーの側面に粗面化処理を施すかあるいは、ノズルカバーの側面にインクを吸収可能な吸収部材を設けた構成が、特開平９−２５４３９４号公報に開示されている。
【００１３】
また、特開平１１−２４０１６３号公報においてもインクジェットヘッドのブレードとの接触部近傍に吸収部材を有する構成が開示されている。
【００１４】
特開２０００−１９８２１１においては、インクジェットヘッドの側面に堆積したインクの増粘物を除去する構成が開示されている。
【００１５】
上記構成では、ブレードにスリットを設け、インクジェットヘッドの側面専用のブレードを摺接することで、インクの増粘物を除去している。
【００１６】
【発明が解決しようとする課題】
しかしながら、特開平６−７１９０４号公報においても特開平１０−２７２７８１号公報においても特開平５−１９３１５１号公報においても特開平９−２５４３９４号公報においても特開平８−００１９５５号公報においてもインクジェットヘッドのノズル面のインクの吸収除去性能については効果があるものの、インクジェットヘッドの側面におけるインクの除去性能については、十分効果が得られていない。
【００１７】
特に、顔料インクにおいては、インク溶剤の蒸発による増粘が著しく、インクジェットヘッドの側面にインクの増粘物が堆積してしまう。最悪の場合は、その増粘物がブレードに再転写し、更にはインクジェットヘッドのノズルに再転写し、印字に影響を及ぼすこととなる。
【００１８】
特開平１１−２４０１６３号公報においては、インクジェットヘッドの側面近傍にインク吸収部材をおくことで、ある程度の効果はあるものの、インク吸収容量にも限りがあり、ある容量を超えると効果がないものになってしまう。また、インク吸収部材の配置スペース、コストを考慮しても得策ではない。
【００１９】
特開２０００−１９８２１１号公報においては、ブレードの進行方向と平行な側面に対しての効果はあるものの、ブレードの進行方向と垂直な側面に対しては、効果はない。
【００２０】
更に、ブレードの進行方向と垂直な側面専用のブレードを配置する構成が考えられるが、これもまた、配置スペース、コストから得策とはいえない。
【００２１】
よって、本発明の目的は、従来技術を改良し、簡単な構成で、インクジェットヘッドのノズルに付着したインク及び異物を除去し、かつ、インクジェットヘッドの側面にもインクの増粘物を堆積させない、ブレードとインクジェットヘッドを有する高画質を得るインクジェット記録装置を提供することにある。
【００２２】
【課題を解決するための手段】
上記目的を達成するために、次のようにして解決した。
【００２３】
すなわち、本発明によるインクジェット記録装置は、インクジェットヘッドのノズルよりインクを吐出して記録媒体に印字を行うインクジェット記録装置で、前記ノズルに摺接し、前記ノズルに付着したインク及び異物を除去するためのブレードを有し、前記ブレードは、前記ノズルと当接する周辺部分は撥水性を備え、前記ノズルと当接しない部分はインクを吸収する親水性を備え、前記ブレードがノズルに当接する面側の親水性を備える部分は、前記インクジェットヘッドのノズル面に対し、概垂直方向に凹凸形状であり、前記凹凸形状の隅部はＲ０．２ｍｍ以下であり、前記ノズルから前記親水部までの距離Ｌ１と、前記ブレードのノズルに対する侵入量Ｌ２はＬ１＞Ｌ２＞２ｍｍであることを特徴とする。
【００２４】
前記ブレードがノズルに当接する面側の親水性を備える部分には、吸収性を備える部材を有することを特徴とする。
【００２５】
前記インクジェットヘッドの前記ノズルを形成したノズル形成部材の周辺部と側面を覆うノズルカバーを有し、前記ノズル形成部材の周辺部と側面を覆うノズルカバーの記録媒体との対向面と側面に撥水性を備えることを特徴とする。
【００２６】
前記インクジェットヘッドの前記ノズルを形成したノズル形成部材の周辺部と側面を覆うノズルカバーを有し、前記ノズル形成部材の周辺部と側面を覆うノズルカバーの記録媒体との対向面と前記ブレードの進行方向にある２つの側面に撥水性を備えることを特徴とする。
【００２７】
【発明の実施の形態】
（実施形態１）
図１〜図９は、本発明インクジェット記録装置の第１の実施例を示すものである。
【００２８】
図１はキャッピング手段と負圧発生手段と弁手段とを有する吸引回復手段の構成を示す分解斜視図。
【００２９】
図２は吸引回復手段を使用したインクジェット記録装置の構成を示す分解斜視図。
【００３０】
図３インクジェット記録装置におけるキャリッジおよびそのキャリッジに搭載可能な記録ヘッドおよびインクタンクの構成を示す分解斜視図である。
【００３１】
図２、図３に示すように、キャリッジ６上には記録ヘッド８が搭載可能である。
【００３２】
ホームポジション（ＨＰ）において印字領域に遠い方から、処理液Ｓのノズル列とブラックインクＢｋのノズル列とカラーインクＹＭＣのノズル列とが横並びに配された記録ヘッド８と処理液のインクタンク９Ｓとブラックインクのインクタンク９Ｂｋと，カラーインクのインクタンク９Ｃ，９Ｍ，９Ｙが搭載可能である。
【００３３】
この例は、ブラック、イエロー、マゼンタ、シアンのインクタンクが全て独立に交換可能な構成の場合である。
【００３４】
記録ヘッド８は、ブラック、カラーの２つのノズル列の一体ヘッド構成になっている。そのうちカラーのノズル列はイエロー、マゼンタ、シアンの３つのノズル列が縦一直線に並ぶ３色一体型のヘッド構成である。
【００３５】
記録ヘッド８はキャリッジ６上のコネクタ８０２２を介し電気的に接続される。
【００３６】
記録ヘッド８は、熱エネルギーを利用してインクを吐出するインクジェット記録手段であって、熱エネルギーを発生するための電気熱変換体を備えたものである。
【００３７】
また記録ヘッド８は、電気熱変換体によって印可される熱エネルギーにより生じる膜沸騰により気泡の成長、収縮によって生じる圧力変化を利用して、吐出口よりインクを吐出させ、記録を行うものである。
【００３８】
また記録ヘッド８には、ブラックインクのインクタンク９Ｂｋ、カラーインクのインクタンク９Ｃ，９Ｍ，９Ｙからのインク供給を行うインク毎のインク供給口８０３０が４個（ブラック８０３０Ｂｋ，シアン８０３０Ｃ、マゼンタ８０３０Ｍ、イエロー８０３０Ｙ，）あり、そこからヘッド内の流路を通り記録ヘッドの各ノズルへインクが供給される。
【００３９】
略コ字状のシャーシ１の両側壁には、キャリッジ６を摺動自在に指示するガイドシャフト４およびサポートシャフト１０３が配設されている。これら両シャフト上を主走査方向に往復移動するキャリッジ６の駆動力は、駆動ベルト１０を介してキャリッジモーター１０４から与えられる。
【００４０】
また、記録媒体の挟持搬送は、ＬＦモーターを駆動源とし、図２に示すように搬送ローラー２およびピンチローラ３により行われ、プラテン１６上に記録媒体が搬送される。
【００４１】
この時、キャリッジ６に搭載された記録ヘッド８の記録部はキャリッジ６から下方へ突出して、記録ヘッド８の吐出口形成面は、プラテン１６上の記録媒体に平行に対向し印字を行う。
【００４２】
記録装置向かって左側のホームポジションには回復系ユニット１５（吸引回復手段）が配設されている。
【００４３】
キャッピング手段は、記録ヘッド８に対応し、図中左からブラックインク用のキャップ１１２とカラーインク用のキャップ１１４がある（キャッピング手段）。
【００４４】
それぞれのキャップ１１２、１１４はキャップホルダー１２２、１２４に支持されている。
【００４５】
キャップホルダー１２２、１２４は、回復系ベース１３０に回転可能に軸止されたキャップレバー１３２の一端に固定されている。
【００４６】
キャップレバー１３２は回復系ベースとの間にあるキャップバネ１３３により付勢される。
【００４７】
キャップレバー１３２の一部はキャッピング制御手段である制御カム１４０のカム面１４１に当接されている。
【００４８】
これにより、制御カム１４０が回転すると、キャップレバー１３２は上下方向に回動し、それに伴いキャップ１１２、１１４は上下方向に移動し、記録ヘッド８を押圧する構成になっている。
【００４９】
制御カムは回復系ベース１３０に回転可能に軸止されており、不図示の駆動源よりギアを介して駆動が伝達される。
【００５０】
回復系ユニット１５のブラックインク用のキャップ１１２とカラーインク用キャップ１１４は各キャップホルダー１２２、１２４を介してポンプユニット１１９（吸引圧力発生手段）の吸引チューブ１４５、１５０に連通している。
【００５１】
ポンプユニット１１９は、記録ヘッドが吐出不良になった場合、キャップユニットと記録ヘッドを接合させて記録ヘッドの吐出口からインクを吸引する吸引回復処理などに際して、負圧を発生させるために用いる。ここに示す例のポンプユニット１１９はチューブポンプと呼ばれるものである。
【００５２】
図４は、ポンプユニット１１９の平面断面図である。
【００５３】
ポンプユニット１１９は、カラーインク用の吸引チューブ１４５とブラックインク用の吸引チューブ１５０と、コロホルダー１４４（加圧部材支持部材）、コロ１４７（加圧部材）と、回復系ベース１３０の加圧ガイド１３０Ａとから構成される。コロホルダー１４４は回復系ベース１３０に回動可能に軸止されている。
【００５４】
チューブ１４５、１５０は、コロホルダー１４４にガイドされている。
【００５５】
コロホルダー１４４が回動すると、吸引チューブ１４５、１５０を回復系ベース１３０の加圧ガイド１３０Ａとコロホルダー１４４に軸止されたコロ１４７で押しつぶしながら、吸引チューブ１４５、１５０をしごくことでキャップ内に負圧を発生させる。
【００５６】
廃液はそれぞれ独立した経路により廃液タンク４０１に送られる。
【００５７】
図５の（ａ）はキャップ退避状態、図５の（ｂ）はキャップ状態を示している。
【００５８】
記録ヘッドがホームポジションで一定時間以上待機するときは、図５（ｂ）に示すようにすべてのキャップが記録ヘッド部と当接してこれをキャッピングし、記録ヘッドの吐出口内のインクが蒸発することに起因する増粘や固着による吐出不良を防止する。そして、この状態でチューブポンプを動作させることにより、全ヘッドの吸引が行なえる。
【００５９】
また、図５の（ａ）に示すように全キャップを退避させる。そしてこの状態で前記チューブをポンプを動作させることにより印字中でも空吸引を行なうことが可能である。予備吐はキャップを退避させた状態でそれぞれのキャップ内に行なう。そして、この状態でチューブポンプを動作させることにより予備吐によりたまったキャップ内のインクを吸引する空吸引が可能である。
【００６０】
図１に戻り回復系ユニット１５には、さらに、ブラックインクのノズルをワイピングするブラックインクブレード１１１９と色インク記録ヘッドのノズルをワイピングするための色インクブレード１１８を設ける。
【００６１】
ブラックインクブレード（第一ブレード）１１１９はブラックインクのノズル列の紙搬送方向上流側、カラーインクブレード（第三ブレード）１１８はカラーインクのノズル列の紙搬送上流側にそれぞれ別々に配設されている。
【００６２】
これらの各ブレードは、記録ヘッドのノズルに付着したインクをワイピングするための、ゴムなどの弾性部材で形成されたブレードである。
【００６３】
図６はワイピング機構の構成を示す断面図である。
【００６４】
図１、図６に示すように、ブレード１１７、１１８、１１１９は回復系ベース１３０のガイド部１３０Ｇに記録ヘッド８に対し平行移動可能に取り付けられたブレードアーム１４２に取り付けられている。またガイド部１３０Ｇにより記録ヘッド８に対するブレード侵入量と当接角度および当接圧は、正常に一定に管理されている。
【００６５】
ブレードアーム１４２の一部にはラックギア１４２Ｇがあり、ブレードバネ１１５２により付勢された状態でブレードギア１１５３に連結している。各ブレード１１７、１１８、１１１９はワイパーバネ１１５２により付勢された状態（密着巻きでない）では記録ヘッド８に当接していない状態である（第一退避位置Ａ）。
【００６６】
１３０Ｓは回復系ベース１３０のブレードアーム退避位置規制である。
駆動源より駆動をうけたブレードギア１１５３が回転することでブレードアーム１４２は回復系ベース１３０上を記録ヘッド８に対し平行移動する（往）。
【００６７】
ブレードアーム１４２がノズル列の十分なストロークを移動しブレード１１７、１１８、１１１９が記録ヘッド８に当接しない位置（第二退避位置Ｂ）より更に移動したところで、ブレードギア１１５３は一部が欠歯１５３Ｋになっており、駆動がきれ、ブレードバネ１１５２のバネ力でブレードアーム第一退避位置に復帰する（復）。
【００６８】
ブレードは記録ヘッドのノズルに対し、摺接する部分１３１９，１３１７，１３１８は撥水性を備えている。摺接する面側の撥水性を備えている部分１３１９，１３１７，１３１８の下方には記録ヘッドのノズルと対向する方向に親水性を備えた凹凸形状１２１９，１２１７，１２１８が形成されている。
【００６９】
ブレードにより除去されたノズルのインクは凹凸形状の隅部の毛管力により、更にブレードの下方に吸水される。
【００７０】
ここで、凹部の隅部は十分な毛管力を得るために０．２ｍｍ以下が望ましい。
【００７１】
また、記録ヘッドのノズルに対するブレードの侵入量Ｌ２と記録ヘッドのノズルから親水性を備えた凹凸形状１２１９，１２１７，１２１８までの距離Ｌ１は、Ｌ１＞Ｌ２＞２ｍｍとなることが望ましい。距離Ｌ１が短すぎるとノズルのインクの除去性に影響し、長すぎると十分な吸水性が得られない。
【００７２】
記録ヘッド８はノズルを形成したノズル形成部材８０１とノズル形成部材の周辺部と側面を覆うノズルカバー８０２を有している。ノズルカバーはノズル形成部材を保護するものであり、ＳＵＳ材などにより一体で形成される。ノズルカバーの記録媒体の対向面８０５とブレードの進行方向に垂直な２つの側面８０３，８０４は撥水性を備えている。
【００７３】
ノズル周辺のインクはブレードにより除去され、ノズルカバー８０２の側面８０３，８０４に寄せられるが、側面８０３，８０４及びブレード１３１９，１３１７，１３１８の撥水性によりはじかれ、ブレードの親水性を備えた凹凸形状１２１９，１２１７，１２１８に吸水されるため、ノズルカバー側面にインクが堆積しない。
【００７４】
また、回復系ベース１３０には、図１及び図７に示すようにキャッピング位置決め手段としてのＣＲレバー１６０が回転自在に軸止されている。ＣＲレバー１６０の一端は制御カム１４０のカム部にＣＲレバーばね１６０ＳＰにより付勢されて当接しているため、制御カムの回転によりＣＲレバー１６０は上下動作を行なう。
【００７５】
ＣＲレバー１６０はキャリッジのホームポジションで上がった状態になるように制御され、このとき、ＣＲレバー１６０に設けられたかん合凸部１６１は、キャリッジもしくは記録ヘッド８に設けられた、かん合凹部１６２とかん合し、キャッピング時における記録ヘッド８とキャップの当接位置を（図７（ｂ）参照）。印字中はＣＲレバー１６０は下げられキャリッジの移動を妨げないようになっている（図７（ａ）参照）。
【００７６】
ワイピング手段とポンプユニットとの駆動切り替え手段を図８、図９に示す。
【００７７】
アイドルギア２０１、２０２、２０５、太陽ギア２０３、切り替えアーム２０６は回復系ベース１３０に回動可能に軸止されている。遊星ギア２０４はフリクションばね２０７を付勢した状態で切り替えアーム２０６に回動可能に軸止されている。ブッシュナット２０８は切り替えアーム２０６の軸に圧入されて固定されており、遊星ギア２０４の抜け止めを行なっている。
【００７８】
不図示の駆動モーターより駆動をうけ、アイドルギア２０５が２０５Ａ方向に回転すると切り替えアーム２０６は２０６Ａ方向に回転し、遊星ギア２０４はアイドルギア２０１に駆動を伝達する。アイドルギア２０１は不図示のギア列によりポンプユニットに駆動を伝達する。
【００７９】
逆に、駆動モーターを逆方向に回転させることにより、アイドルギア２０５が２０５Ｂ方向に回転すると切り替えアーム２０６は２０６Ｂ方向に回転し、遊星ギア２０４はアイドルギア２０２に駆動を伝達する。アイドルギア２０１は不図示のギア列により制御カムに駆動を伝達し、キャッピング手段、連通弁、ワイピング手段、キャリッジ位置決め手段に駆動を伝達する。
【００８０】
制御カム１４０のホームポジションの位置出しは、不図示の電気的なセンサー（例えばフォトインタラプタなど）をそれぞれ使用することで行なっている。
【００８１】
（実施形態２）
図１０、図１２は、本発明のインクジェット記録装置の第２の実施例を示すものである。
【００８２】
実施例１ではブレードの摺接する面側の撥水性を備えている部分の下方にはインクジェットヘッドのノズルと対向する方向に親水性を備えた凹凸形状が形成したが、ここでは摺接する面側の撥水性を備えている部分の下方にはインクジェットヘッドのノズルと対向する方向に親水性を備えた溝部形状２２１９，２２１７，２２１８を形成した。
【００８３】
溝部の深さは、ブレードの厚みより薄く、溝部の隅部は毛管力を得るのに必要である。
【００８４】
ここでも、凹部の隅部は十分な毛管力を得るために０．２ｍｍ以下が望ましい。
【００８５】
（実施形態３）
図１１は、本発明のインクジェット記録装置の第３の実施例を示すものである。
【００８６】
ここでは、ブレードが記録ヘッドのノズルに当接する面側の親水性を備える部分に、吸収性を備える部材３２１９，３２１７，３２１８を配置した。
【００８７】
吸収性を備える部材は、ノズル近傍まで延在しているが、ノズルに当接はしない。
【００８８】
ノズルに当接するのはブレードであり、ブレードでかきとったノズル面のインクを吸収性を備える部材により吸収する。
【００８９】
【発明の効果】
以上説明したように、本発明によれば、インクジェットヘッドのノズルよりインクを吐出して記録媒体に印字を行うインクジェット記録装置で、前記ノズルに摺接し、前記ノズルに付着したインク及び異物を除去するためのブレードを有し、前記ブレードは、前記ノズルと当接する周辺部分は撥水性を備え、前記ノズルと当接しない部分はインクを吸収する親水性を備え、前記ブレードがノズルに当接する面側の親水性を備える部分は、前記インクジェットヘッドのノズル面に対し、概垂直方向に凹凸形状であり、前記凹凸形状の隅部はＲ０．２ｍｍ以下であり、前記ノズルから前記親水部までの距離Ｌ１と、前記ブレードのノズルに対する侵入量Ｌ２はＬ１＞Ｌ２＞２ｍｍであること前記ブレードがノズルに当接する面側の親水性を備える部分には、吸収性を備える部材を有すること前記インクジェットヘッドの前記ノズルを形成したノズル形成部材の周辺部と側面を覆うノズルカバーを有し、前記ノズル形成部材の周辺部と側面を覆うノズルカバーの記録媒体との対向面と側面に撥水性を備えることにより簡単な構成で、インクジェットヘッドのノズルに付着したインク及び異物を除去し、かつ、インクジェットヘッドの側面にもインクの増粘物を堆積させない、ブレードとインクジェットヘッドを有する高画質を得るインクジェット記録装置を提供することができた。
【図面の簡単な説明】
【図１】第１の実施例の回復系ユニット（吸引回復手段）の構成を示す分解斜視図。
【図２】第１の実施例の回復系ユニット（吸引回復手段）を使用したインクジェット記録装置の構成を示す分解斜視図。
【図３】第１の実施例のインクジェット記録装置におけるキャリッジおよびそのキャリッジに搭載可能な記録ヘッドおよびインクタンクの構成を示す分解斜視図。
【図４】第１の実施例のインクジェット記録装置におけるポンプユニット（吸引負圧発生手段）の構成を示す平面断面図。
【図５】第１の実施例のインクジェット記録装置における吸引モードの説明をする図。
【図６】第１の実施例のインクジェット記録装置におけるワイピング機構の構成を示す断面図。
【図７】第１の実施例のインクジェット記録装置におけるキャッピング位置決め手段を説明する図。
【図８】第１の実施例のインクジェット記録装置における駆動切り替え機構の平面図。
【図９】第１の実施例のインクジェット記録装置における駆動切り替え機構の断面図。
【図１０】第２の実施例の回復系ユニット（吸引回復手段）の構成を示す分解斜視図。
【図１１】第３の実施例の回復系ユニット（吸引回復手段）の構成を示す分解斜視図。
【図１２】第２の実施例を示す図。
【符号の説明】
１  シャーシ
２  搬送ローラー
３  ピンチローラー
４ガイドシャフト
６  キャリッジ
８  記録ヘッド
９  インクタンク
１０  ベルト
１５  回復系
１６  プラテン
４０  本体
１０３  サポートシャフト
１０４  キャリッジモーター
１１２、１１４  吸引キャップ
１１７、１１８、１１１９  ブレード
１１９  ポンプユニット
１２２、１２４  キャップホルダー
１３０  回復系ベース
１３１  キャップベース
１３２  キャップレバー
１３３  キャップレバーばね
１４２  ブレードアーム
１４４  コロホルダー
１４５、１５０  吸引チューブ
１４７  コロ
１６０  ＣＲレバー
１６０ＳＰ  ＣＲレバーばね
１６１  かん合凸部
２０１、２０２、２０５  アイドルギア
２０３  太陽ギア
２０４  遊星ギア
２０６  切り替えアーム
２０７  フリクションバネ
２０８  ブッシュナット
４０１  廃インクタンク
４０２  ワイパーバネ
１１５２  ブレードばね
１１５３  ブレードギア
【図１】
2004168002.tif 000003
【図２】
2004168002.tif 000004
【図３】
2004168002.tif 000005
【図４】
2004168002.tif 000006
【図５】
2004168002.tif 000007
【図６】
2004168002.tif 000008
【図７】
2004168002.tif 000009
【図８】
2004168002.tif 000010
【図９】
2004168002.tif 000011
【図１０】
2004168002.tif 000012
【図１１】
2004168002.tif 000013
【図１２】
2004168002.tif 000014